(57)【特許請求の範囲】
【請求項１】
非接触式端末のデータを読込む非接触式端末データ読込み手段と、前記非接触式端末データ読込み手段から受信した残高データを記憶しておく残高記憶手段と、前記残高記憶手段に記憶されている残高データに基づき、購入可能な商品情報あるいは販売操作方法の画像を表示させる画像出力手段と、商品情報あるいは販売操作方法に関する複数の画像を記憶しておく画像記憶手段と、非接触式端末の種別データを記憶させておく種別記憶手段と、前記種別データに基づき前記画像記憶手段から表示させる画像を判定する画像判定手段と、種別データごとに利用者に提供できる画像を任意に設定できる画像設定手段とを備えた自動販売機において、前記非接触式端末がかざされた時、前記画像設定手段で画像設定操作されていた場合は、前記残高記憶手段に記憶されている残高データに基づき、前記画像出力手段によって、前記種別データに基づく商品情報あるいは販売操作方法の画像を表示させることを特徴とした自動販売機。
【請求項２】
画像表示時間を計測するタイマー手段と、前記タイマー手段により所定時間が経過した時に画像表示を停止させる画像表示停止手段を備え、画像出力手段によって商品情報および販売操作方法等の画像を表示させる場合、前記タイマー手段により所定時間が経過すれば、前記画像表示停止手段により画像表示を停止させることを特徴とした請求項１に記載の自動販売機。
【請求項３】
音声を出力させる音声出力手段を備え、画像出力手段にて画像を表示させる場合、同時に前記音声出力手段にて情報を音声で出力することを特徴とした請求項１または２に記載の自動販売機。
【発明の詳細な説明】
【技術分野】
【０００１】
本発明は、非接触式端末と自動販売機を交信させて自動販売機の表示部に商品情報等を表示する技術に関するものである。
【背景技術】
【０００２】
従来の自動販売機における制御装置には、商品の販売情報等をセンターとの通信により入手して、その情報を利用者に提供できる制御装置について開示したもの（例えば、特許文献１参照）がある。
【特許文献１】特開平９−１２８６１４号公報
【発明の開示】
【発明が解決しようとする課題】
【０００３】
しかしながら、前記従来の構成では、非接触式端末の利用者が利用できる商品情報および販売操作方法等がわからずに、販売の機会を逃してしまうという課題を有していた。
【０００４】
本発明は、前記従来の課題を解決するもので、非接触式端末のデータを自動販売機が読込むことにより商品情報や販売操作方法等の情報を利用者に提供することで商品購入者の購買意欲を高めることを目的としている。
【課題を解決するための手段】
【０００５】
上記従来の課題を解決するために、本発明の自動販売機は、非接触式端末のデータを読込む非接触式端末データ読込み手段と、前記非接触式端末データ読込み手段から受信した
残高データを記憶しておく残高記憶手段と、前記残高記憶手段に記憶されている残高データに基づき、購入可能な商品情報あるいは販売操作方法の画像を表示させる画像出力手段と、商品情報あるいは販売操作方法に関する複数の画像を記憶しておく画像記憶手段と、非接触式端末の種別データを記憶させておく種別記憶手段と、前記種別データに基づき前記画像記憶手段から表示させる画像を判定する画像判定手段と、種別データごとに利用者に提供できる画像を任意に設定できる画像設定手段とを備えた自動販売機において、前記非接触式端末がかざされた時、前記画像設定手段で画像設定操作されていた場合は、前記残高記憶手段に記憶されている残高データに基づき、前記画像出力手段によって、前記種別データに基づく商品情報あるいは販売操作方法の画像を表示させるものである。
【発明の効果】
【０００６】
本発明の自動販売機は、非接触式端末がかざされた時、画像設定手段で画像設定操作されていた場合は、残高記憶手段に記憶されている残高データに基づき、画像出力手段によって、種別データに基づく商品情報あるいは販売操作方法の画像を表示させることにより、商品購入者の購買意欲を高め販売促進を行うことができる。
【発明を実施するための最良の形態】
【０００７】
請求項１に記載の発明は、非接触式端末のデータを読込む非接触式端末データ読込み手段と、前記非接触式端末データ読込み手段から受信した残高データを記憶しておく残高記憶手段と、前記残高記憶手段に記憶されている残高データに基づき、購入可能な商品情報あるいは販売操作方法の画像を表示させる画像出力手段と、商品情報あるいは販売操作方法に関する複数の画像を記憶しておく画像記憶手段と、非接触式端末の種別データを記憶させておく種別記憶手段と、前記種別データに基づき前記画像記憶手段から表示させる画像を判定する画像判定手段と、種別データごとに利用者に提供できる画像を任意に設定できる画像設定手段とを備えた自動販売機において、前記非接触式端末がかざされた時、前記画像設定手段で画像設定操作されていた場合は、前記残高記憶手段に記憶されている残高データに基づき、前記画像出力手段によって、前記種別データに基づく商品情報あるいは販売操作方法の画像を表示させることにより、商品購入者の購買意欲を高め販売促進を行うことができる。
【０００８】
請求項２に記載の発明は、請求項１に記載の発明において、画像表示時間を計測するタイマー手段と、前記タイマー手段により所定時間が経過した時に画像表示を停止させる画像表示停止手段を備え、画像出力手段によって商品情報および販売操作方法等の画像を表示させる場合、前記タイマー手段により所定時間が経過すれば、前記画像表示停止手段により画像表示を停止させるものであり、適正な時間のみ表示させることで利便性を高めることができる。
【００１１】
請求項５に記載の発明は、請求項１または２に記載の発明において、音声を出力させる音声出力手段を備え、画像出力手段にて画像を表示させる場合、同時に前記音声出力手段にて情報を音声で出力するものであり、利用者に画像だけでなく音声による情報も提供でき、より利便性を高めることができる。
【００１２】
（実施の形態１）
図１は、本発明の実施の形態１による自動販売機の制御装置の機能ブロック図である。
【００１３】
図２は、同実施の形態の自動販売機の制御装置の動作を示すフローチャートである。
【００１４】
図１において、非接触式端末データ読込み手段１は非接触式端末がかざされた時に非接触式端末のデータを読込み、残高記憶手段２は非接触式端末データ読込み手段１からの残高データを記憶し、画像出力手段３は残高記憶手段２に記憶されているデータに基づき、商品情報および販売操作方法等の画像を表示させる。
【００１５】
演算制御部４ａは非接触式端末データ読込み手段１から残高データを受信した場合、残高記憶手段２に記憶させる。
【００１６】
そして残高記憶手段２に記憶されているデータに基づき、画像出力手段３にて、商品情報および販売操作方法等の画像を表示させる。
【００１７】
以上のように構成された自動販売機の制御装置について、以下その動作を説明する。
【００１８】
非接触式端末データ読込み手段１にて残高データが読込まれたかどうかを確認する（ＳＴＥＰ１）。
【００１９】
データの読込みがなければ終了、読込まれていれば残高記憶手段２に記憶させる（ＳＴＥＰ２）。
【００２０】
残高記憶手段２に記憶されているデータに基づき、画像出力手段３にて、商品情報および販売操作方法等の画像を表示させる（ＳＴＥＰ３）。
【００２１】
以上のように本実施の形態の自動販売機の制御装置によれば、非接触式端末の残高データを自動販売機が読込み、そのデータに基づき商品情報および販売操作方法等の画像を表示させることで、非接触式端末の利用者に情報を提供することができる。
【００２２】
（実施の形態２）
図３は、本発明の実施の形態２による自動販売機の制御装置の機能ブロック図である。
【００２３】
図４は、同実施の形態の自動販売機の制御装置の動作を示すフローチャートである。
【００２４】
なお実施の形態１と同一構成のものは、同一符号を付してその詳細な説明を省略する。
【００２５】
図３において、タイマー手段５は画像出力手段３にて画像を表示させる場合、画像表示時間を計測する。
【００２６】
画像表示停止手段６はタイマー手段５により所定時間が経過した場合、画像表示を停止させる。
【００２７】
演算制御部４ｂは非接触式端末データ読込み手段１から残高データを受信した場合、残高記憶手段２に記憶させる。
【００２８】
そして残高記憶手段２に記憶されているデータに基づき、画像出力手段３にて、商品情報および販売操作方法等の画像を表示させ、タイマー手段５により所定時間が経過すれば、画像表示停止手段６により画像表示を停止させる。
【００２９】
以上のように構成された自動販売機の制御装置について、以下その動作を説明する。
【００３０】
非接触式端末データ読込み手段１にて残高データが読込まれたかどうかを確認する（ＳＴＥＰ４）。
【００３１】
データの読込みがなければ終了、読込まれていれば残高記憶手段２に記憶させる（ＳＴＥＰ５）。
【００３２】
残高記憶手段２に記憶されているデータに基づき、画像出力手段３にて、商品情報および販売操作方法等の画像を表示させる（ＳＴＥＰ６）。
【００３３】
タイマー手段５にて時間を計測し（ＳＴＥＰ７）、所定時間が経過すれば画像表示停止手段６により画像表示を停止させる（ＳＴＥＰ８）。
【００３４】
以上のように本実施の形態の自動販売機の制御装置によれば、商品情報および販売操作方法等の画像を所定の時間のみ表示させることができる。
【００３５】
（実施の形態３）
図５は、本発明の実施の形態３による自動販売機の制御装置の機能ブロック図である。
【００３６】
図６は、同実施の形態の自動販売機の制御装置の動作を示すフローチャートである。
【００３７】
なお実施の形態２と同一構成のものは、同一符号を付してその詳細な説明を省略する。
【００３８】
図５において、画像記憶手段７は複数の画像を記憶しておく。
【００３９】
種別記憶手段８は非接触式端末データ読込み手段１により、非接触式端末の種別データを受信した場合、そのデータを記憶させておく。
【００４０】
画像判定手段９は種別データに基づき画像記憶手段７に記憶されている画像から表示させる画像を判定する。
【００４１】
演算制御部４ｃは非接触式端末データ読込み手段１から残高データを受信した場合、残高記憶手段２に記憶させる。
【００４２】
非接触式端末の種別データを受信した場合、種別記憶手段８に記憶させ、画像判定手段９にて、種別データに基づき画像記憶手段７から表示させる画像を判定し、画像出力手段３にて、商品情報および販売操作方法等の画像を表示させる。タイマー手段５により所定時間が経過すれば、画像表示停止手段６により画像表示を停止させる。
【００４３】
以上のように構成された自動販売機の制御装置について、以下その動作を説明する。
【００４４】
非接触式端末データ読込み手段１にて残高データが読込まれたかどうかを確認する（ＳＴＥＰ９）。
【００４５】
データの読込みがなければ終了、読込まれていれば残高記憶手段２に記憶させる（ＳＴＥＰ１０）。
【００４６】
非接触式端末の種別データを受信した場合、種別記憶手段８に記憶させ、画像判定手段９にて、種別データに基づき画像記憶手段７から表示させる画像を判定し、決定する（ＳＴＥＰ１１）。
【００４７】
画像出力手段３にて、商品情報および販売操作方法等の画像を表示させる（ＳＴＥＰ１２）。
【００４８】
タイマー手段５にて時間を計測し（ＳＴＥＰ１３）、所定時間が経過すれば画像表示停止手段６により画像表示を停止させる（ＳＴＥＰ１４）。
【００４９】
以上のように本実施の形態の自動販売機の制御装置によれば、非接触式端末の種別ごとに利用者に提供できる情報を変えることができる。
【００５０】
（実施の形態４）
図７は、本発明の実施の形態４による自動販売機の制御装置の機能ブロック図である。
【００５１】
図８は、同実施の形態の自動販売機の制御装置の動作を示すフローチャートである。
【００５２】
なお実施の形態３と同一構成のものは、同一符号を付してその詳細な説明を省略する。
【００５３】
図７において、画像設定手段１０は画像判定手段９により表示させる画像を、任意に設定できる。
【００５４】
演算制御部４ｄは画像設定手段１０の操作があれば、種別データごとに利用者に提供できる画像を任意に設定し画像記憶手段７に記憶する。
【００５５】
非接触式端末データ読込み手段１から残高データを受信した場合、残高記憶手段２に記憶させる。
【００５６】
非接触式端末の種別データを受信した場合、種別記憶手段８に記憶させ、画像判定手段９にて、種別データに基づき画像記憶手段７から表示させる画像を判定し、画像出力手段３にて、商品情報および販売操作方法等の画像を表示させる。
【００５７】
タイマー手段５により所定時間が経過すれば、画像表示停止手段６により画像表示を停止させる。
【００５８】
以上のように構成された自動販売機の制御装置について、以下その動作を説明する。
【００５９】
画像設定手段１０の操作があるかどうかを確認する（ＳＴＥＰ１５）。
【００６０】
操作があれば、種別データごとに利用者に提供できる画像を任意に設定し画像記憶手段７に記憶する（ＳＴＥＰ１６）。
【００６１】
非接触式端末データ読込み手段１にて残高データが読込まれたかどうかを確認する（ＳＴＥＰ１７）。
【００６２】
データの読込みがなければ終了、読込まれていれば残高記憶手段２に記憶させる（ＳＴＥＰ１８）。
【００６３】
非接触式端末の種別データを受信した場合、種別記憶手段８に記憶させ、画像判定手段９にて、種別データに基づき画像記憶手段７から表示させる画像を判定し、決定する（ＳＴＥＰ１９）。
【００６４】
画像出力手段３にて、商品情報および販売操作方法等の画像を表示させる（ＳＴＥＰ２０）。
【００６５】
タイマー手段５にて時間を計測し（ＳＴＥＰ２１）、所定時間が経過すれば画像表示停止手段６により画像表示を停止させる（ＳＴＥＰ２２）。
【００６６】
以上のように本実施の形態の自動販売機の制御装置によれば、非接触式端末の種別ごとに利用者に提供できる情報を任意に設定できる。
【００６７】
（実施の形態５）
図９は、本発明の実施の形態５による自動販売機の制御装置の機能ブロック図である。
【００６８】
図１０は、同実施の形態の自動販売機の制御装置の動作を示すフローチャートである。
【００６９】
なお実施の形態４と同一構成のものは、同一符号を付してその詳細な説明を省略する。
【００７０】
図９において、音声出力手段１１は画像出力手段３にて画像を表示させる場合、同時に情報を音声で出力する。
【００７１】
演算制御部４ｅは画像設定手段１０の操作があれば、種別データごとに利用者に提供できる画像を任意に設定し画像記憶手段７に記憶する。
【００７２】
非接触式端末データ読込み手段１から残高データを受信した場合、残高記憶手段２に記憶させる。
【００７３】
非接触式端末の種別データを受信した場合、種別記憶手段８に記憶させ、画像判定手段９にて、種別データに基づき画像記憶手段７から表示させる画像を判定し、画像出力手段３にて、商品情報および販売操作方法等の画像を表示させる。
【００７４】
同時に音声出力手段１１にて情報を音声で知らせる。
【００７５】
タイマー手段５により所定時間が経過すれば、画像表示停止手段６により画像表示を停止させる。
【００７６】
以上のように構成された自動販売機の制御装置について、以下その動作を説明する。
【００７７】
画像設定手段１０の操作があるかどうかを確認する（ＳＴＥＰ２３）。
【００７８】
操作があれば、種別データごとに利用者に提供できる画像を任意に設定し画像記憶手段７に記憶する（ＳＴＥＰ２４）。
【００７９】
非接触式端末データ読込み手段１にて残高データが読込まれたかどうかを確認する（ＳＴＥＰ２５）。
【００８０】
データの読込みがなければ終了、読込まれていれば残高記憶手段２に記憶させる（ＳＴＥＰ２６）。
【００８１】
非接触式端末の種別データを受信した場合、種別記憶手段８に記憶させ、画像判定手段９にて、種別データに基づき画像記憶手段７から表示させる画像を判定し、決定する（ＳＴＥＰ２７）。
【００８２】
画像出力手段３にて、商品情報および販売操作方法等の画像を表示させ、同時に音声出力手段１１にて情報を音声で知らせる（ＳＴＥＰ２８）。
【００８３】
タイマー手段５にて時間を計測し（ＳＴＥＰ２９）、所定時間が経過すれば画像表示停止手段６により画像表示を停止させる（ＳＴＥＰ３０）。
【００８４】
以上のように本実施の形態の自動販売機の制御装置によれば、非接触式端末の利用者に画像だけでなく音声にて情報を提供できる。
【産業上の利用可能性】
【００８５】
以上のように、本発明にかかる自動販売機は残高データに基づいて商品情報や販売操作方法を画像表示で利用者へ提供できるので、飲料、物販等各種自動販売機の用途に適用できる。
【図面の簡単な説明】
【００８６】
【図１】本発明の実施の形態１による自動販売機の制御装置の機能ブロック図
【図２】同実施の形態による自動販売機の制御装置の動作を示すフローチャート
【図３】本発明の実施の形態２による自動販売機の制御装置の機能ブロック図
【図４】同実施の形態による自動販売機の制御装置の動作を示すフローチャート
【図５】本発明の実施の形態３による自動販売機の制御装置の機能ブロック図
【図６】同実施の形態による自動販売機の制御装置の動作を示すフローチャート
【図７】本発明の実施の形態４による自動販売機の制御装置の機能ブロック図
【図８】同実施の形態による自動販売機の制御装置の動作を示すフローチャート
【図９】本発明の実施の形態５による自動販売機の制御装置の機能ブロック図
【図１０】同実施の形態による自動販売機の制御装置の動作を示すフローチャート
【符号の説明】
【００８７】
１    非接触式端末データ読込み手段
２    残高記憶手段
３    画像出力手段
４ａ，４ｂ，４ｃ，４ｄ，４ｅ  演算制御部
５    タイマー手段
６    画像表示停止手段
７    画像記憶手段
８    種別記憶手段
９    画像判定手段
１０  画像設定手段
１１  音声出力手段
【図１】
0004720420.tif 000002
【図２】
0004720420.tif 000003
【図３】
0004720420.tif 000004
【図４】
0004720420.tif 000005
【図５】
0004720420.tif 000006
【図６】
0004720420.tif 000007
【図７】
0004720420.tif 000008
【図８】
0004720420.tif 000009
【図９】
0004720420.tif 000010
【図１０】
0004720420.tif 000011